(57)【要約】【課題】ペットボトルへの装着及び着脱が容易で、ボール打ちの衝撃で抜けることのない連結部材を備えたテニス用ボール打ち練習具を提供する。【解決手段】長尺のゴム紐２の一端に練習用テニスボール３を繋ぎ、ゴム紐２の他端に連結部材４を繋いだテニス用ボール打ち練習具１であって、連結部材４は、板状に形成した伸縮自在の弾性体からなる連結板５にペットボトル８の首部９に嵌り込む嵌合穴１０を形成し、嵌合穴１０の内径をペットボトル８の首部９に形成されているフランジ部１１の外径よりも小径に形成し、嵌合穴１０の内径を連結板５の弾性変形により拡開してフランジ部１１を乗り越えて首部９に嵌合させる。【選択図】図１
2010075307.tif 000002
【特許請求の範囲】
【請求項１】
長尺のゴム紐の一端側に練習用テニスボールを繋ぎ、該ゴム紐の他端側に連結部材を繋いだテニス用ボール打ち練習具であって、
前記連結部材は、板状に形成した伸縮自在の弾性体からなる連結板にペットボトルの首部に嵌り込む嵌合穴を形成し、前記嵌合穴の内径を前記ペットボトルの首部に形成されているフランジ部の外径よりも小径に形成し、前記嵌合穴の内径を前記連結板の弾性変形により拡開して前記フランジ部を乗り越えて首部に嵌合させることを特徴とするテニス用ボール打ち練習具。
【請求項２】
前記連結板の外縁部に引張り用の摘み部を外方に向けて延出させたことを特徴とする請求項１に記載のテニス用ボール打ち練習具。
【請求項３】
前記連結板はシリコンゴムにより形成したことを特徴とする請求項１または２に記載のテニス用ボール打ち練習具。
【請求項４】
前記練習用テニスボールは、ソフトテニスボールであることを特徴とする請求項１から３のいずれかに記載のテニス用ボール打ち練習具。
【発明の詳細な説明】
【技術分野】
【０００１】
本発明は、一人でテニスボールのストローク、サーブなどの練習が行えるテニス用ボール打ち練習具に係り、特にソフトテニスボールのボール打ちに適したテニス用ボール打ち練習具に関する。
【背景技術】
【０００２】
テニスボールのストローク、サーブなどのボール打ち練習を一人で行う練習具として、長いゴム紐の一端にテニスボールを固定し、該ゴム紐の他端を持ち運びができる重いアンカー部材に固定した構成が提案されている（特許文献１）。
【０００３】
このような練習具の使用方法は、アンカー部材を練習場所の地面に置き、その近くでゴム紐に繋がったボールを打つと、ボールがゴム紐を伸ばして飛び、ゴムの張力で再び戻ってくるので、これを打つことにより、ストロークを繰り返して練習できるものである。
【特許文献１】特開平０８−８４７９４号公報
【発明の開示】
【発明が解決しようとする課題】
【０００４】
上述した従来の練習具では、硬式用のテニスボールを対象とした場合、硬式用テニスボールは重いので、アンカー部材の重量が軽いと、強い打撃力を受けるとアンカー部材もテニスボールと一緒に飛んでしまう。そのため、アンカー部材も重くなってしまい、持ち運びに不便となっていた。
【０００５】
また、テニスのストロークやサーブの練習は、周囲のスペースを考えると広場や運動場の中央部分で通常行われ、このような場所にはゴム紐の他端を結ぶようなものがないため、アンカー部材はどうしても必要となる。
【０００６】
ところで、ソフトテニスボールは硬式のテニスボールに比べて軽いため、アンカー部材はさほど重くなくても十分にアンカーとしての役割を果たすことができるので、専用のアンカー部材を用意しなくても身の回りにあるもので代用できれば、専用のアンカー部材を携行せずにゴム紐付きのテニスボールだけを携行し、練習場所で代用アンカー部材にゴム紐の他端を固定すれば良いことになる。
【０００７】
このようなアンカー代用部材として、本発明者はペットボトルに着目した。すなわち、ペットボトルは飲料用の容器として最もポピュラーなものであり、水を抜いておけば持ち運びの際に重くて持ち難いことはない。そして、練習場所で水や砂を入れれば十分な重量が得られる。
【０００８】
しかし、ゴム紐をペットボトルにその都度結び、また練習後に解くのは面倒であり、結び方が不十分であると、練習中に解けてしまうことも考えられる。
【０００９】
そこで、本発明は、ペットボトルへの装着及び着脱が容易で、ボール打ちの衝撃で容易に抜け出ることのない連結部材を備えたテニス用ボール打ち練習具を提供することを目的とする。
【課題を解決するための手段】
【００１０】
本発明の目的を実現するテニス用ボール打ち練習具の構成は、長尺のゴム紐の一端側に練習用テニスボールを繋ぎ、該ゴム紐の他端側に連結部材を繋いだテニス用ボール打ち練習具であって、前記連結部材は、板状に形成した伸縮自在の弾性体からなる連結板にペットボトルの首部に嵌り込む嵌合穴を形成し、前記嵌合穴の内径を前記ペットボトルの首部に形成されているフランジ部の外径よりも小径に形成し、前記嵌合穴の内径を前記連結板の弾性変形により拡開して前記フランジ部を乗り越えて首部に嵌合させることを特徴とする。
【００１１】
このテニス用ボール打ち練習具の構成において、前記連結板の外縁部に引張り用の摘み部を外方に向けて延出させることができる。
【００１２】
これらのテニス用ボール打ち練習具の構成において、前記連結板はシリコンゴムにより形成することができる。
【００１３】
これらのテニス用ボール打ち練習具の構成において、前記練習用テニスボールは、ソフトテニスボールとすることができる。
【発明の効果】
【００１４】
請求項１に係る発明によれば、連結部材をなすゴム製等の連結板に形成した嵌合穴をペットボトルの首部に嵌合すると、嵌合穴が該首部に例えばきつく締まり、ペットボトルのフランジ部が邪魔をして連結板の抜けが阻止される。そして、空のペットボトルに水あるいは砂を充填してキャップを閉めれば、このペットボトルをテニス用ボール打ち練習具のアンカーとし利用することができるので、重いアンカー部材を練習場所まで持参する必要はなく、練習場所で空のペットボトルに水を充填するだけで済む。
【００１５】
請求項２に係る発明によれば、連結板の嵌合穴をペットボトルの首部に装着する際及び抜き取る際に、摘み部を引っ張ることにより連結板を弾性変形させて嵌合穴を容易に拡開させることができる。
【００１６】
請求項３に係る発明によれば、連結板をペットボトルに装着したままとしても、連結板の経年変化によりペットボトルの表面に溶着することがない。また、連結板をカラフルにすることができる。
【００１７】
請求項４に係る発明によれば、容易に入手できるペットボトルの大容量サイズは２リッター程度で、例えば水を充填した場合には２ｋｇ程度となるが、軽いソフトテニスボールであれば、強くヒットしても十分にアンカーの役割を果たすことができる。
【発明を実施するための最良の形態】
【００１８】
本発明を図面に示す実施形態に基づいて以下に説明する。
【００１９】
図１および図２は本発明の実施形態を示し、図１（ａ）はテニス用ボール打ち練習具を示す斜視図、図１（ｂ）はペットボトルに連結板を装着した状態を示す縦断面図、図２は図１の連結板を示し、（ａ）は上面図、（ｂ）は(ａ)のＡ−Ａ矢視断面図である。
【００２０】
図１及び図２において、テニス用ボール打ち練習具１は、長尺のゴム紐２の一端にソフトテニスボールである練習用テニスボール３を繋ぎ、またゴム紐２の他端を連結部材４を構成する連結板５に繋いでいる。連結板５はシリコンゴム等の伸縮自在の弾性体を矩形平板形状に形成したもので、リング部材６が装着される通し穴７と、ペットボトル８の首部９に嵌合する嵌合穴１０が形成されている。
【００２１】
ゴム紐２の他端をこの通し穴７に通して直接繋ぐようにしても良く、また連結部材４を構成するリング部材６に繋ぐようにしても良い。すなわち、ゴム紐２の一端側が練習用テニスボール３に繋がり、ゴム紐２の他端側が連結部材４に繋がっている。
【００２２】
ペットボトル８は、上部に首部９が形成され、首部９の上端にフランジ部１１が形成され、このフランジ部１１から上方に向けて口部１２が形成されている。そして、この口部１２にねじ締め式のキャップ１３が被着されている。
【００２３】
フランジ部１１の外径Ｄ１は、首部９の外径Ｄ２よりも大径（Ｄ１＞Ｄ２）である。また、口部１２の外径Ｄ３もフランジ部１１の外径Ｄ１よりも小径（Ｄ１＞Ｄ３）である。
【００２４】
一方、連結板５の嵌合穴１０の内径ｄ１をフランジ部１１の外径Ｄ１よりも小径としている。そして、嵌合穴１０をキャップ１３にあてがって連結板５の一方の短辺から外方に延出した摘み部１４を指で摘み外方に引張ると、連結板５が伸びて嵌合穴１０が拡開するので、連結板５を下方に押し下げることでフランジ部１１を乗り越えて首部９に嵌合される。この状態で摘み部１４から指を離すと、嵌合穴１０は元の内径Ｄ１に戻ろうとし、首部９に連結板５の弾性復元力による締付け力を伴って嵌合するように、嵌合穴１０の内径ｄ１を設定している。これにより、連結板５はペットボトル８の首部９にしっかりと嵌合することになる。
【００２５】
この場合、練習用テニスボールを強い力でヒットした際の衝撃力がゴム紐２を介して連結板５に加わっても、圧縮応力状態にある連結板５を引張り応力状態とし、さらにフランジ部１１の外径を乗り越えるサイズに嵌合穴１０を拡開し難いので、連結板５が首部９から抜け出ることはない。なお、嵌合穴１０の内径ｄ１を首部９の外径Ｄ２と等しくても良い。
【００２６】
本実施形態のテニス用ボール打ち練習具１は、予め空のペットボトル８に連結板５を装着した状態で持ち運びするようにしても良く、また練習場所でペットボトル８に連結板５を装着するようにしても良い。このように、容易に入手できる空のペットボトルを利用することによって、テニス用ボール打ち練習具１に専用のアンカーを含める必要がなくなり、練習場所までの携行が容易になった。
【００２７】
また、容易に入手できるペットボトルとしては飲料用のものがあり、２リッター程度の容量のものが容易に入手できる最大容量のものと言える。２リッター程度のペットボトルに例えば水を入れたものをテニス用ボール打ち練習具１のアンカーとして地面に置いた場合、練習用テニスボール３が硬式用テニスボールであれば、地面との摩擦状態などにより、練習用ボール３のヒット時の衝撃によりアンカーをなす水入りペットボトルが動くこともあり得るが、ソフトテニスボールであればそのようなおそれはない。
【図面の簡単な説明】
【００２８】
【図１】（ａ）は本発明によるテニス用ボール打ち練習具の実施形態を示す斜視図、（ｂ）はペットボトルに連結板を装着した状態を示す縦断面図。
【図２】（ａ）は図１の連結板の上面図、（ｂ）は(ａ)のＡ−Ａ矢視断面図である。
【符号の説明】
【００２９】
１  テニス用ボール打ち練習具
２  ゴム紐
３  練習用テニスボール
４  連結部材
５  連結板
６  リング部材
７  通し穴
８  ペットボトル
９  首部
１０  嵌合穴
１１  フランジ部
１２  口部
１３  キャップ
１４  摘み部
【図１】
2010075307.tif 000003
【図２】
2010075307.tif 000004